Podtech/llm-jp-corpus-v4-ja_patent huggingface dataset:
(57)【要約】      （修正有）【課題】筆記具としての機能を保持しつつ、携帯端末用のスタンド機能を備えることによって、利便性を高めた携帯端末用スタンド付の筆記具を提供する。【解決手段】携帯端末用スタンド付の筆記具１は、先軸１０と後軸２０によって構成され、後軸にはクリップ２１及び携帯端末を保持するための凹溝２２を凹設し、先軸を所定の位置まで回動させるとペン先が突出し、筆記具として使用でき、携帯端末を後軸に形成された凹溝に緩嵌させ、立てた状態を保持することで、携帯端末用スタンドとして使用できる。後軸の先端にタッチペン３０を設けてもよい。【選択図】図２
0003222942.tif 000002
【実用新案登録請求の範囲】
【請求項１】
通常は筆記具として使用し、携帯端末を視聴する際には、携帯端末を立てた状態で保持することができる凹溝を凹設することを特徴とする、携帯端末用スタンド付の筆記具。
【請求項２】
前記携帯端末用スタンド付の筆記具において、後軸の先端に携帯端末のタッチパネルを操作する際に使用するタッチペンを具設した、請求項１に記載の携帯端末用スタンド付の筆記具。
【考案の詳細な説明】
【技術分野】
【０００１】
本考案は、スマートフォンなどの携帯端末を立てたまま保持するための凹溝を筆記具に凹設した、携帯端末用スタンド付の筆記具に関する。
【背景技術】
【０００２】
スマートフォンなどの携帯端末は、手に取って使用することを前提としており、単体では自立しないものが多い。そのため、携帯端末を立てたまま保持するための、スマートフォン用のスタンドが市販されている。
【先行技術文献】
【特許文献】
【０００３】
【特許文献１】特開２０１２−２３５１９５公報
【考案の概要】
【考案が解決しようとする課題】
【０００４】
スマートフォンなどの携帯端末を立てたまま保持するための機構としては、特許文献１のように携帯端末の形状に合わせた保護カバーに、スタンドの機能を設けたものや、携帯端末のスタンド単体を個別で携帯し、卓上などで使用する際に携帯端末と緩嵌して立てておくものなどがある。
【０００５】
しかしながら特許文献１のような保護カバーとスタンドが一体のものは、端末自体が嵩高くなり携帯性を損なう場合がある。またスタンドが個別になっているものは、端末とスタンドをそれぞれ携帯しなければならないという課題が発生する。
【課題を解決するための手段】
【０００６】
本考案の携帯端末用スタンド付の筆記具は、常に持ち歩く頻度の高い筆記具に、スマートフォンなどの携帯端末を立てかけるための溝を設けることで、保護カバーや個別のスタンドを用いることなく課題を解決する。
【考案の効果】
【０００７】
筆記具としての使いやすさを損なうことなく、携帯端末用のスタンドとして卓上などで使用でき、携帯性に優れる。
【０００８】
先端にはタッチペンの機能を設け、手に取って使用する際には携帯端末のタッチパネルを操作することができる。
【図面の簡単な説明】
【０００９】
【図１】本考案の実施の形態による携帯端末用スタンド付の筆記具の正面図である。
【図２】本考案の実施の形態による携帯端末用スタンド付の筆記具の斜視図である。
【図３】本考案の実施の形態による携帯端末用スタンド付の筆記具に、携帯端末を立てて保持している状態を示す正面図である。
【図４】本考案の実施の形態による携帯端末用スタンド付の筆記具に、携帯端末を立てて保持している状態を示す斜視図である。
【考案を実施するための形態】
【００１０】
以下に、本考案の実施の形態について説明する。図１に示すように、本考案の携帯端末用スタンド付の筆記具（１）は先軸（１０）と後軸（２０）によって構成され、後軸（２０）にはクリップ（２１）及び携帯端末を保持するための凹溝（２２）を凹設し、後軸の先端にはタッチペン（３０）を備える。
【００１１】
筆記具として使用する際は、先軸（１０）を所定の位置まで回動させるとペン先（１１）が突出し、使い終われば先軸（１０）を逆方向に所定位置まで回動させるとペン先（１１）が先軸（１０）に埋没し格納される。
【００１２】
携帯端末（２）を後軸（２０）に形成された凹溝（２２）に緩嵌させ、立てた状態を保持することで、携帯端末用スタンドとして使用できる。
【００１３】
後軸（２０）の先端に設けられたタッチペン（３０）は、携帯端末（２）のタッチパネル（２ａ）を操作する際に使う。
【符号の説明】
【００１４】
（１）  ・・・・・携帯端末用スタンド付の筆記具
（２）  ・・・・・携帯端末
（１０）・・・・・先軸
（１１）・・・・・ペン先
（２０）・・・・・後軸
（２１）・・・・・クリップ
（２２）・・・・・凹溝
（３０）・・・・・タッチペン
【図１】
0003222942.tif 000003
【図２】
0003222942.tif 000004
【図３】
0003222942.tif 000005
【図４】
0003222942.tif 000006
(57)【要約】      （修正有）【課題】ネック角度が変えられる歯ブラシを提供する。【解決手段】ネック角度変更を可能とする角度可変部を設ける、角度可変部は、角度変更ダイアル４、ウオーム５、ウオームホイール６、で構成され、ウオームとウオームホイール、両歯車をかみ合わせる。ウオームと同軸に角度変更ダイアルを装備しており、角度変更ダイアルを廻すことで、ウオームの回転をウオームホイールへ伝え、ネック先端の刷毛が動き、角度変更ダイアルの停止で、刷毛が目的位置で停止保持される。その状態で歯磨きができ、歯磨き時、歯から刷毛に反力が加わり、同体のネックも反り返ろうとして、ウオームホイールからウオームへと力が加わるが、歯車比と歯車角度の違いから、ウオームは回転せず停止したままとなり、刷毛の位置は動かず保持される。刷毛の位置が変わるのは、角度変更ダイアルを廻す時のみである。【選択図】図１
0003222926.tif 000002
【実用新案登録請求の範囲】
【請求項１】
歯ブラシの柄において、先端に刷毛を装備したネックとハンドルとの間に、ネック角度変更を可能とする角度可変部を設ける、角度可変部は、角度変更ダイアル、ウオーム、ウオームホイール、で構成される、角度変更ダイアルを廻し、ネック角度を自在に変更することで、ネック先端に装備された刷毛を任意の位置に保持することを特徴とする、ネック角度が変えられる歯ブラシ。
【考案の詳細な説明】
【技術分野】
【０００１】
本考案は、歯ブラシ使用前、ネック角度の変更が容易な、歯ブラシの柄に関するものである。
【背景技術】
【０００２】
通常、歯ブラシは棒状の柄とヘッドの刷毛とで構成され、一体化されて実用に供されている。
【０００３】
しかし、棒状の柄では、口内の歯並びや向きに合わせて、手の位置や角度を変えても、刷毛が目的の歯に届かなかったり、角度が違ったりで、磨いたつもりが十分でなく、磨き残しが発生するという課題があった。
【０００４】
歯磨きは毎日必須であり、磨き残しがあると将来不具合が発生するかも知れないという懸念があった。
【０００５】
この改善策として、歯ブラシの柄の形状を、持ち易いように工夫された、少し湾曲したものがある。
【０００６】
しかしながら、この方法でも、口内の歯並びや向きに合わせて、磨き残しがないようにするには、上手な歯磨き技術が求められ、専門医の指導や講習会が実施されている。
【先行技術文献】
【特許文献】
【０００７】
【特許文献１】実用新案Ｓ６１１４３３４２
【考案の概要】
【考案が解決しようとする課題】
【０００８】
解決しようとする問題点は、歯磨きにおいて、棒状の柄では、口内の歯並びや向きに合わせて手の角度や位置を変えても、刷毛が届かなかったり、角度が違ったりで、磨いたつもりでも磨きが十分でなく、磨き残しが発生する可能性があるという点である。
【課題を解決するための手段】
【０００９】
本考案は、歯ブラシの柄のネック角度変更を可能とするため、刷毛がどの歯にも接することを最も主要な特徴とする。
【考案の効果】
【００１０】
本考案の歯ブラシの柄において、装備している角度変更ダイアルを右又は左に廻すことで、ウオームを介しウオームホイールを廻す、ウオームホイールと同体のネック先端部の刷毛角度を変え歯磨きをすることで、どの歯にも接し、歯磨き効果向上を図る利点がある。
【００１１】
且つ、棒状の柄と比べ、歯ブラシを持つ手の位置が変わり、磨き状態が見えやすく、鏡などに可視化しやすいことである。
【図面の簡単な説明】
【００１２】
【図１】図１は歯ブラシの柄に角度可変部を設けた全体説明図と、角度可変部断面説明図である。
【考案を実施するための形態】
【００１３】
柄を握りながら、角度変更ダイアルを廻すことで、ネック先端の刷毛角度を変える目的を最小の部品点数で実現した。
【００１４】
且つ、歯磨き時の刷毛の反力で、ネックが反り、ネックと同体のウオームホイールが廻ろうとするが、ウオームは回転せず、受け止め、ウオームホイールは停止状態となる、ネックと同体の刷毛は動かず、刷毛を角度変更した安定状態で、歯磨きが行えることを実現した。
【実施例１】
【００１５】
図１は、本考案実施例の全体説明図と、角度可変部断面説明図である。
【００１６】
１はハンドル、２はネック、３は刷毛、４は角度変更ダイアル、５はウオーム、６はウオームホイール、７は軸、である。
【００１７】
図１の本考案実施例全体説明図において、１ハンドルを持ち、４角度変更ダイアルを廻すことで、２ネック角度を変更、２ネック先端の３刷毛の位置決めができる。
【００１８】
図１の角度可変部断面説明図において、４は角度変更ダイアル、５はウオーム、６はウオームホイール、７は軸である。
【００１９】
図１の角度可変部断面説明図において、４角度変更ダイアルと同軸に、５ウオームが装備されており、４角度変更ダイアルを廻すことで、５ウオームが回転する、５ウオームが回転することにより、その回転が、６ウオームホイールに伝達され、６ウオームホイールと同体のネック他端に装備されている刷毛が動き、刷毛の位置決めができる。
【産業上の利用可能性】
【００２０】
口内の歯並びは、奥広がりの半円近い並びであり、上下、内外共に、刷毛を歯並びに合わせて、斜め４５度位に軽く接触させ、磨くことは難しい。
【００２１】
歯磨き状況は、磨く人の、習慣、慣れから、良く磨けたと判断して終わる場合がある。
【００２２】
歯ブラシのネック角度を変えることにより、歯磨き動作の操作性が良くなり、どの歯にも刷毛をあてることができるようになる。
【００２３】
歯磨き時、歯から刷毛に反力が加わり、同体のネックも反り返ろうとして、ウオームホイールからウオームへと力が加わるが、歯車比と歯車角度の違いから、ウオームは回転しない、従って刷毛の位置は動かず停止状態で保持される。
【００２４】
刷毛の角度変更は、角度変更ダイアルを廻し、ウオームからウオームホイールへと力が伝わる時のみである。
【符号の説明】
【００２５】
１  ハンドル
２  ネック
３  刷毛
４  角度変更ダイアル
５  ウオーム
６  ウオームホイール
７  軸
【図１】
0003222926.tif 000003
(57)【要約】      （修正有）【課題】手のこぎりで幅の広い被削板材を直線上に切断する幅広材用ノコギリガイドを提供する。【解決手段】任意の厚さと寸法を有する正方形の金属板を１対２の割合で直角に曲げてＬ型部材を形成し、１の割合に当たる部分を被削板材と共に固定する底面部４ａとし、２の割合に当たる立ち上がり部に、別途形成したコの字形部材の開口部を下に、Ｌ型部材の外角側にその片面をＬ型部材の立ち上がり部と密着させてボルトを通す加工を施し、その後Ｌ型部材の立ち上がり部の穴を左右に延長する抜き加工を施して、コの字型部材を前後可動式とし、コの字型部材のもう片方を下向きの半円形に形成し、これと同形で別途形成した部材を、手のこぎりの厚さに近い幅の狭い別途形成した部材を介して２枚の半円形部材を固定して形成した。【選択図】図１
0003222994.tif 000002
【実用新案登録請求の範囲】
【請求項１】
任意の厚さと寸法を有する正方形の金属板を１対２の割合で直角に曲げ、２の割合に当たる４ｂを立ち上がり部分とし、もう一方の４ａは被削板材に密着させて作業台とともに固定できる部材とし、４ｂの上から２ｃｍのところで、幅６ｍｍの横長抜き加工を施し、４ａ、４ｂの横幅の半分の幅の１ａ、１ｂ、１ｃのコの字形部材を形成し、そのコの字形部材の開口部を下にして、１ａの上から２ｃｍのところで、幅６ｍｍの横長抜き加工を施し、１ｃの下部分を半円形に切削し、この１ｃと同形のものを別の板から削り出して２を形成し、間に０．７ｍｍ前後の任意の材質を有する薄板を上部分に挟んでネジで固定した前後可動式の手のこぎり挟み部とし、４ｂの抜き加工部分と、１ａ抜き加工部分が合致するよう上から被せてボルトを通して手のこぎり挟み部を任意の位置へスライドさせ、ナットで固定できるようにした幅広材用ノコギリガイド。
【考案の詳細な説明】
【技術分野】
【０００１】本考案は手のこぎりで幅の広い被削板材を直線状に切断する器具に関する。
【背景技術】
【０００２】従来の鋸ガイドは被削板材に密着させて固定する部材と、手のこぎり挟み部を一体化させて被削材板と共に固定する構造であった。幅の広い被削板材の場合には、手のこぎりを出来る限り前方へ位置させてから、手のこぎりの先部分のみを小刻みに動かして切断せざるを得なかった。固定してある部材を緩めて位置を変えることも可能ではあるが、時間がかかり、また切断位置がずれることも予測され正確さの点で問題があった。また軸受け方式のものもあるが幅の広い被削板材には対応しない。
【先行技術文献】
【０００３】モノタロウ  ソーガイド、ＳＫ１１木工用角度切鋸、Ｅ‐ＳＰＳ角度切鋸ガイド
【考案の概要】
【考案が解決しようとする課題】
【０００４】従来のノコギリガイドで幅の広い被削板材を切断する場合、手のこぎりの先端部のみで切断せざるを得ず、時間がかかり非能率的であった。
【課題を解決するための手段】
【０００５】任意の厚さと寸法を有する正方形の金属板を１対２の割合で直角に曲げ、２の割合に当たる４ｂが立ち上がり部分となる。もう一方の４ａは被削板材に密着させて作業台とともに固定する。【０００６】４ｂの上から２ｃｍのところで、幅６ｍｍの横長抜き加工を施す。【０００７】４ａ、４ｂの横幅の半分の幅の１ａ、１ｂ、１ｃのコの字形部材を形成する。【０００８】そのコの字形部材の開口部を下にして、１ａの上から２ｃｍのところで、幅６ｍｍの横長抜き加工を施す。【０００９】１ｃの下部分を半円形に切削する。【００１０】この１ｃと同形のものを別の板から削り出して２を形成し、間に０．７ｍｍ前後の任意の材質を有する薄板を上部分に挟んでネジで固定し、前後に可動式の手のこぎり挟み部とする。【００１１】４ｂの抜き加工部分と、１ａの抜き加工部分が合致するよう上から被せてボルトを通して、手のこぎり挟み部を任意の位置へスライドさせ、ナットで固定できるようにした幅広材用ノコギリガイドを形成する。
【考案の効果】
【００１２】これにより幅の広い被削板材を切断する場合、その切断する位置にあわせて手のこぎり挟み部を移動させて、手のこぎりの刃全体を使用して切断できるようになり作業効率と正確さが向上する。
【図面の簡単な説明】
【００１３】
【図１】当考案品の前方斜視図。
【図２】当考案品の後方斜視図。
【図３】可動式の手こぎり挟み部の側面図
【考案を実施するための形態】
【００１４】以下、本考案の実施の形態を図に基づいて説明する。
【実施例１】
【００１５】本考案の幅広材用ノコギリガイドの４ａ、４ｂを、幅広の被削板材の幅の中央にバイスなどにより固定する。【００１６】１ａ、１ｂ、１ｃから成る手のこぎり挟み部と４ｂを固定してあるナット６を緩めて、手のこぎり挟み部を最前方へ移動させてナット６を締め付け、１ｃと２の間に手のこぎりを挟んで切断し始める。【００１７】切断の進捗により、手のこぎり挟み部を手前に移動させて、再び切断を開始する。【００１８】手のこぎり挟み部の前後の可動域は３０ｃｍで、手のこぎりの刃は、これより更に前方へ位置するので、それ以上の幅広板材に対応可能となる。
【産業上の利用可能性】
【００１９】本考案はＤＩＹ用品を製造する産業で利用される。
【符号の説明】
【００２０】１ａ  横長抜き加工を施すコの字形部材の一部
１ｂ  天板に相当するコの字形部材の一部
１ｃ  手のこぎり挟み部を形成するコの字形部材の一部
２    １ｃと合わせて手のこぎり挟み部を形成する部材
３    １ｃと２の間に５を挟んで固定するネジ
４ａ  被削板材と共に固定する部材
４ｂ  手のこぎり挟み部を支持する部材
５    １ａと４ｂを固定するボルト
【図１】
0003222994.tif 000003
【図２】
0003222994.tif 000004
【図３】
0003222994.tif 000005
【手続補正書】
【提出日】令和1年6月21日(2019.6.21)
【手続補正１】
【補正対象書類名】実用新案登録請求の範囲
【補正対象項目名】全文
【補正方法】変更
【補正の内容】
【実用新案登録請求の範囲】
【請求項１】
任意の厚さと寸法を有する正方形の金属板を１対２の割合で直角に曲げてＬ型部材を形成し、１の割合に当たる部分を被削板材と共に固定する底面部とし、２の割合に当たる立ち上がり部に、別途形成したコの字形部材の開口部を下に、Ｌ型部材の外角側にその片面をＬ型部材の立ち上がり部と密着させてボルトを通す加工を施し、その後Ｌ型部材の立ち上がり部の穴を左右に延長する抜き加工を施して、コの字型部材を前後可動式とし、コの字型部材のもう片方を下向きの半円形に形成し、これと同形で別途形成した部材を、手のこぎりの厚さに近い幅の狭い別途形成した部材を介して２枚の半円形部材を固定して形成した幅広材用ノコギリガイド。
(57)【要約】      （修正有）【課題】誰にでも容易に取り扱いを行うことができ、また風呂水給水ホースの不具合防止と修理経費節約が図れる、空気取り入れ弁付き風呂水給水ホースを提供する。【解決手段】全自動洗濯機の付属品である風呂水給水ホースに、簡易型サイフォン式灯油手動ポンプの空気取り入れ弁を接続した。【選択図】図１
0003222986.tif 000002
【実用新案登録請求の範囲】
【請求項１】
空気取り入れ弁付き風呂水給水ホース
全自動洗濯機の付属品である風呂水給水ホースに簡易型サイフォン式灯油手動ポンプの「空気取り入れ弁」を接続した特徴を付帯した製品である。
【考案の詳細な説明】
【技術分野】
【０００１】  本考案は、自動洗濯機付属の風呂水給水ホースに水抜き弁を取りつけ、洗濯終了時に給水ホースを取り外すことなく、ホース内に空気を吸気させホース内に溜まっている風呂水の排水を容易にすることができるものである。
【背景技術】
【０００２】  現在の家庭用汎用型全自動洗濯機は、洗濯・すすぎ等をする時に水道栓から洗濯槽へ給水させる方法と、風呂浴槽から給水させる方法のどちらも選択できるように選択スイッチが取り付いている。
一般家庭では、洗濯時に水道水の節約や、温水での洗濯・すすぎ等をする目的から、風呂浴槽から洗濯機へ給水させる方法をとることが多く、また一般的である。この場合、風呂水給水用の付属ホースを洗濯機に人為により装着し使用するが、洗濯・すすぎ・脱水等が終了し、洗濯物（衣類等）を取り出し、洗濯機の整頓時には、風呂水給水ホースを洗濯機から人為的に取り外し、そのホース内に溜まっている風呂水をホースをたどりながら排水させることになる。【０００３】  しかしながら、風呂水給水ホースを洗濯終了後の整頓時に人為的にそのホースを洗濯機から取り外す動作は手間がかかるものであり、また、洗濯機本体と風呂水給水ホースの接続部ハメ合いがしっかりしているため取り外し時の動作は、それ相当の腕力を要する。このような現状から腕力の弱い女性や老齢者にとっては容易ではない。また、洗濯機の整頓のたびに風呂水給水ホースを洗濯機から取り外していると、洗濯機とそのホースの接続部の摩耗・接点パッキンの経年老化やパッキン損傷により、水漏れや空気漏れが発生し、風呂水の給水ができなくなる不具合も発生する。
【考案の概要】
【考案が解決しようとする課題】
【０００４】  本考案は  以上のような従来の欠点に鑑み、自動洗濯機風呂水給水ホース水抜き空気弁を組み付け、風呂水給水ホースを取り外すことなく整頓の手間短縮と腕力の弱い女性や老齢者に優しい整頓工夫、風呂水給水の不具合防止と、不具合修理の経費節約に資するものである。
【課題を解決するための手段】
【０００５】  自動洗濯機付属の風呂水給水ホースの洗濯機接続末端部に、より簡単構造のネジ廻し式空気取り入れ弁（ポリプロピレン、ポリエチレン系プラスチック等）を取り付け、その空気取り入れ弁のネジ回し部を左廻しにより空気孔を導通させ、給水ホース内に空気を流入することにより、そのホース内の風呂水を重力排水できることを目的としたものである。
【考案の効果】
【０００６】以上の説明から明らかなように、本考案にあっては次に列挙する効果が得られる。
（１）（［請求項１］の構成要件）とで構成されているので洗濯終了時の洗濯機の整頓が容易で人為的な手間が省くことができる。
（２）前期（１）によって腕力の弱い女性や老齢者にとっては洗濯機本体から風呂水給水ホースを取り外すための、腕力を要る動作は必要とせず、容易に給水ホースの整頓ができる。
（３）（［請求項１］の構成要件）とで構成されているので洗濯終了時に風呂水給水ホースの脱着をする必要がないため、洗濯機と風呂水給水ホース接続部の摩耗や、接点パッキンが経年老化・パッキン損傷を防ぐことができるため、風呂水給水の不具合が解消でき不具合修理の経費等も図ることができる。
【図面の簡単な説明】
【０００７】［風呂水給水ホース空気取り入れ弁］
【図１】本考案を実施するための最良な形態の洗濯機と風呂水給水ホースの「簡易型サイフォン式手動灯油ポンプ空気取り入れ弁」の接続全体図である。
【図２】本考案を実施するための最良な形態の風呂水給水ホースと洗濯機接続、及び浴槽並びに風呂浴室図である。
【図３】本考案の実施により洗濯機から風呂水給水ホースを取り外さずホース内の風呂水を排出し、給水ホースを洗濯機サイドの給水ホース掛フックに容易に掛け整頓する。
【考案を実施するための形態】
【０００８】
【自動洗濯機と風呂水給水ホース】
以下、本考案の実施の形態を図に基づいて説明する。
【実施例】  図１は本考案装置の実施例で、自動洗濯機付属風呂水給水ホースと簡易型サイフォン式手動灯油ポンプ空気取り入れ弁の接続図である。
図２は、洗濯を終了した後、風呂水給水ホースを整頓する動作の順序で、最初の動作で浴槽から風呂水給水ホースを浴室洗い場に取り出し、次に洗濯機と風呂給水ホースの接続部頂点部（「空気取り入れ弁」）を「左廻し」にして空気孔を導通させることにより、そのホース内に空気が流入されホース内の風呂水は重力により浴室洗い場に排出（流出）し風呂水給水ホースは軽くなりホースの操作が容易になる。
図３の洗濯機に接続してある風呂水給水ホースは、洗濯機から取り外すことなく、そのまま容易に手繰り寄せ洗濯機の給水ホース掛フックに整頓して掛けることができるものである。また、給水ホースの整頓時には、ホース内の風呂水は既に流出していることからそのホースの取りまわし時に洗濯機の周囲に風呂水を散らかることもなく、水拭き清掃等をする手間も省くことができるものである。
【図１】
0003222986.tif 000003
【図２】
0003222986.tif 000004
【図３】
0003222986.tif 000005
【手続補正書】
【提出日】令和1年6月17日(2019.6.17)
【手続補正１】
【補正対象書類名】実用新案登録請求の範囲
【補正対象項目名】全文
【補正方法】変更
【補正の内容】
【実用新案登録請求の範囲】
【請求項１】
全自動洗濯機の付属品である風呂水給水ホースに、簡易型サイフォン式灯油手動ポンプの「空気取り入れ弁」を接続したことを特徴とする「空気取り入れ弁付き風呂水給水ホース」。
(57)【要約】      （修正有）【課題】悠久の医食同源、東洋医学の食療法を見直した、手羽先を利用した薬膳食品を提供する。【解決手段】鶏の手羽先１−１の中骨を２本くり抜き、この中に黒米ともち米によるおこわ、朝鮮人参、クコの実、松の実、椎茸出汁、鶏ひき肉を加熱加工して中に挿入した手羽先１−１を利用した薬膳食品１であって、黒米おこわは、黒米比が約５０％であり、手羽先１−１は圧力鍋、加熱蒸気装置により、骨まで食べられるように加熱加工して構成した。【選択図】図１
0003222987.tif 000002
【実用新案登録請求の範囲】
【請求項１】
鶏の手羽先の中骨を２本くり抜き、この中に黒米ともち米によるおこわ、朝鮮人参、クコの実、松の実、椎茸出汁、鶏ひき肉を加熱加工して中に挿入した手羽先を利用した薬膳食品
【請求項２】
前記黒米おこわは、黒米比が約５０％である薬膳食品
【請求項３】
前記手羽先は圧力鍋、加熱蒸気装置により、骨まで食べられるように加熱加工して構成した手羽先を利用した薬膳食品
【考案の詳細な説明】
【技術分野】
【０００１】本考案は手羽先を利用した薬膳食品に関するものである。
【背景技術】
【０００２】健康対策としてサプリメントによる栄養成分の摂取が流行になっている。
【先行技術文献】
【特許文献】
【０００３】
【特許文献１】
【考案の概要】
【考案が解決しようとする課題】
【０００４】健康ブームに乗ったサプリメント偏重の風潮に警鐘を鳴らす必要がある。悠久の医食同源、東洋医学の食療法を見直す必要がある。体の内から体質改善  時間かかるが体にやさしい薬膳食品が必要である。脱サプリメントを目指し、付け焼刃の白い肌でなく透き通る美肌  魅せる美女という目標が望ましい。錠剤はごちそうではない。英気を養い心豊かにする日々のごちそうの喜びを奪ってはならない。
【課題を解決するための手段】
【０００５】本考案は鶏に手羽先の中骨２本をくり抜いてその中に、黒米ともち米によるおこわ、朝鮮人参、クコの実、松の実、椎茸出汁、鶏ひき肉を加熱加工して中に挿入し、薬膳食品を構成するものである。【０００６】黒米ともち米によるおこわは黒米比約５０％（黒色）と従来の黒米、もち米おこわの黒米比約５〜１０％（紫色）に比べて非常に多くする。【０００７】手羽先の骨まで食べられるように、加圧鍋、または加熱蒸気装置により加熱し、骨を柔らかくする。
【考案の効果】
【０００８】本考案は以上のような構成であるので、自然の多様な栄養素を摂取する事が出来る。黒米とはいわば稲の原種で古代米の一種である。普通の白米に比べて、タンパク質、ビタミンＢ１、Ｂ２、Ｅ、ナイアシン、リジン、トリプトファン等やさらに、鉄分、亜鉛、カルシウム、マグネシウムなどミネラル成分も豊富に含まれている。
黒米の名前の由来でもある黒色の天然色素（アントシアニン）とビタミンＥ。どちらも酸化を防ぐ働きが強いと言われている成分である。血管を保護して、動脈硬化を予防し、発ガンの抑制に関係する抗酸化作用が認められている。アントシアニンは、ポリフェノールの一種で、このポリフェノールは植物に含まれている。最近、赤ワインでも注目。黒米は胃腸を丈夫にし、慢性病、虚弱体質の改善など滋養強壮に効果があり、造血作用もあるとされている。最近、農水省総合食品研究所が、黒米には血管の老化を防ぐ効果があることを発表している。中国では、妊産婦が喜んで食することから、別名「月米」とも呼ばれている。民間の言い伝えでは、皮膚を滑らかにし、髪の毛は黒くなり、若返りに効果があると言われている。高麗人参は、前漢の時代に編纂されたといわれる中国最古の医学書『黄帝内径』（こうていだいけい）にすでに記述がみられる。。当時は非常に高価だったため、王侯貴族しか口にできなかった。中国最初の統一王朝を築いた始皇帝、世界三大美女として名高い楊貴妃も高麗人参を重用したと伝えられている。日本にはじめて伝えられたのは奈良時代で、聖武天皇への献上品だったといわれている。大航海時代に海を渡った高麗人参は、フランスの思想家ルソーやロシアの文豪ゴーリキーなど、さまざまな歴史上の人物に愛用されたとされている。日本では健康マニアだった徳川家康が常用したという逸話が残っている。高麗人参は収穫するのに１０年かかるといわれるほど栽培がむずかしいため、日本で収穫できるようになったのは江戸時代の徳川吉宗が将軍になった頃、日本に上陸してから１０００年後のことである。１９６０年代には高麗人参に含まれる有効成分「サポニン」が発見され、さらに注目が集まるようになった。最近では、７０歳を過ぎてなお現役ロッカーとして圧倒的パフォーマンスを披露し続けるミック・ジャガーが愛用しているとのことである。クコの実に含まれている栄養と効果、効能についてお伝えしていきます。
クコの実は、杏仁豆腐の上などにのっている赤い実のことで、ここ数年スーパーフードして世界中で注目されている。
中国では、不老不死の実とも称されていて、世界三大美女のひとり楊貴妃もクコの実を積極的に食べていたと伝えられている。松の実は、脂質が全体の約６割を占め、そのほとんどが不飽和脂肪酸である。必須脂肪酸のリノール酸や松の実以外からは抽出できないピノレン酸などを含んでいることから、健康をサポートすると注目されている。還元力のあるビタミンＥも非常に多く、鉄、ビタミンＢ１も植物性食品ではトップクラス。カリウム、ビタミンＢ２、亜鉛も多く含んでいる。
【図面の簡単な説明】
【０００９】
【図１】は本考案の手羽先利用した薬膳食品の一実施例を示す斜視図である。
【考案を実施するための形態】
【００１０】本発明を実施の形態を図によって説明する。
図１は本考案の手羽先利用した薬膳食品の一実施例を示す斜視図である。手羽先利用した薬膳食品１は手羽先１−１、薬膳食品１−２によって構成される。薬膳食品１−２は黒米ともち米によるおこわ、朝鮮人参、クコの実、松の実、椎茸出汁、鶏ひき肉を加熱加工して調理する。手羽先１−１は圧力鍋または加熱蒸気装置によって骨まで食べられるように加熱する。
【符号の説明】
【００１１】１：手羽先を利用した薬膳食品
１−１：手羽先
１−２：薬膳食品
【図１】
0003222987.tif 000003
【手続補正書】
【提出日】令和1年6月21日(2019.6.21)
【手続補正１】
【補正対象書類名】実用新案登録請求の範囲
【補正対象項目名】全文
【補正方法】変更
【補正の内容】
【実用新案登録請求の範囲】
【請求項１】
鶏の手羽先の中骨を２本くり抜き、この中に黒米ともち米によるおこわ、朝鮮人参、クコの実、松の実、椎茸出汁、鶏ひき肉を加熱加工して中に挿入した手羽先を利用した薬膳食品
【請求項２】
前記黒米おこわは、黒米比が約５０％であることを特徴とする請求項１に記載された手羽先を利用した薬膳食品
【請求項３】
前記手羽先は圧力鍋、加熱蒸気装置により、骨まで食べられるように加熱加工して構成したことを特徴とする請求項１あるいは２に記載された手羽先を利用した薬膳食品
(57)【要約】      （修正有）【課題】無地及び簡素なうちわの柄やカマの部分に装飾を施すことで、楽しむことができるうちわを提供する。【解決手段】柄２と骨３及びカマ４で形成したうちわ１において、柄にレジンを塗布し、紫外線を照射して、レジンを硬化させる加工を施す、あるいは、柄にマスキングテープを貼り、マスキングテープの上からレジンを塗布し、紫外線を照射して、レジンを硬化させる。マスキングテープは、種々のデザインのものを使用する。また、カマに装飾物を遊動自在に装着することでより楽しむことができるようになる。【選択図】図１
0003222990.tif 000002
【実用新案登録請求の範囲】
【請求項１】
柄（２）と骨（３）及びカマ（４）で形成したうちわ（１）において、該柄（２）にレジン（５）を塗布し、紫外線を照射して、該レジン（５）を硬化させる加工を施したことを特徴とするうちわ。
【請求項２】
前記、柄（２）部にマスキングテープ（６）を貼り、該マスキングテープ（６）の上からレジン（５）を塗布し、紫外線を照射して、該レジン（５）を硬化させる加工を施したことを特徴とする請求項１に記載のうちわ。
【請求項３】
前記、マスキングテープ（６）は、種々のデザインのものを使用することを特徴とする請求項１又は２に記載のうちわ。
【請求項４】
前記、カマ（４）に装飾物（７）を遊動自在に装着したことを特徴とする請求項１〜３のいずれか１項に記載のうちわ。
【考案の詳細な説明】
【技術分野】
【０００１】  本考案は、レジン加工及びマスキングテープを使用したうちわの柄の装飾及び装飾物などによるうちわのカマに装飾を施したうちわに関する。
【背景技術】
【０００２】  うちわの柄は竹製、木製、プラスチック製など素材は様々だが、無地で簡素なものが多い。
【先行技術文献】
【特許文献】
【０００３】
【特許文献１】特開２０１３−２３３３９０号
【考案の概要】
【考案が解決しようとする課題】
【０００４】  うちわは、家庭で使用するうちわの他、土産物やインテリア等として使用されるうちわもある。うちわの柄を加工して芳香を発するうちわに関する技術（特許文献１）は有るが、柄やカマに装飾やデザインを施したうちわは無く、うちわのデザインが単調であるという課題があった。うちわの柄の部分をマスキングテープ及びレジン加工で飾り付けすることにより、様々なデザインの柄を有するうちわを提供することが可能となる。また、うちわのカマに装飾物などを装着することによりカマに様々な装飾を有するうちわを提供することが可能となり、前述の課題を解決しようとするものである。
【課題を解決するための手段】
【０００５】    本考案は、柄と骨及びカマで形成したうちわにおいて、該柄にレジンを塗布し、紫外線を照射して、該レジンを硬化させる加工を施す、あるいは、前記、柄部にマスキングテープを貼り、該マスキングテープの上からレジンを塗布し、紫外線を照射して、該レジンを硬化させる加工を施したり、前記、マスキングテープは、種々のデザインのものを使用する。また、前記、カマに装飾物を遊動自在に装着することにより課題を解決している。
【考案の効果】
【０００６】  上述の様に構成した本考案のうちわは、柄の部分にマスキングテープを貼ることにより、様々デザインの柄を有するうちわを作成することができる。そして、前記の柄にレジン加工を施すことにより光沢を持たせることが可能となり、より美しい仕上がりとなる。また、カマの部分に遊動自在に装飾物を装着することにより、動的な装飾を有することで、視覚的にも楽しめるうちわとして使
用することができる。
【図面の簡単な説明】
【０００７】
【図１】本考案の柄を有するうちわの一実施例の構成を示す概略説明図
【図２】図１におけるＡ−Ａ´断面図
【図３】図１のうちわに装飾物を装着したうちわの全体図
【図４】図３のＢ部拡大図
【符号の説明】
【０００８】  １  うちわ
２  柄
３  骨
４  カマ
５  レジン
６  マスキングテープ
７  装飾物
７ａ  丸環
【考案を実施するための形態】
【０００９】  うちわの柄に様々なデザインのマスキングテープを貼り、レジンを塗り、紫外線を照射して硬化させる加工を施す。本加工により、無地で簡素な柄に多様なデザインや光沢を持たせることが可能となる。また、カマの部分に装飾物（天然石、ビーズ、動物モチーフなど）を装着することにより視覚的だけではなく、遊動自在な装飾を有するうちわとなる。
【実施例】
【００１０】  以下、図面に基づいて本考案のうちわの一実施例を詳述する。
図１に示すように、うちわ１の柄２の部分にマスキングテープ６を貼り、レジン５を塗りＵＶ（紫外線）ライトを３〜１０分程度照射によりレジン５を硬化させる加工を施す。【００１１】  前記の柄２に様々なデザインのマスキングテープ６を用いることにより、多様なデザインの柄２を制作することが可能となり、また、レジン５加工により光沢を持った柄の作成が可能となる。【００１２】  前記、カマ４に遊動自在に装着する装飾物７は、天然石やビーズ、動物モチーフなど様々な物を使用することができる。該装飾物７は、鈴、ミニ風鈴等の音を発するものでも良いことは勿論である。【００１３】    図２は図１のＡ−Ａ´の断面図であり、うちわ１の柄２の片面全体にマスキングテープ６を貼り付け、該マスキングテープ６の上から紫外線硬化型のレジン５を塗布後、ＵＶ（紫外線）ライトを３〜１０分間程度照射して、該レジン５を硬化させるものである。本図では該柄２の片面にレジン５を塗布しているが、表裏面に塗布してもよいことは勿論のことである。【００１４】    図３はカマ４に装飾物７を装着した状態を示すうちわである。該装飾物７は図示では左側に装着しているが、該装飾物７を右側のカマ４に装着してもよく、あるいは左右両方のカマ４に装着してもよいことは勿論のことである。【００１５】    図４は、図３のＢ部拡大図であり、うちわ１のカマ４に丸環７ａを遊動自在に装着しており、該丸環７ａに装飾物７を連結している。該丸環７ａはワリカンリングやキーリング等を用いて、後付けで該カマ４に脱着できるようにしている。図４に示す装飾物７は、天然石を用いた例を示している。
【図１】
0003222990.tif 000003
【図２】
0003222990.tif 000004
【図３】
0003222990.tif 000005
【図４】
0003222990.tif 000006
【手続補正書】
【提出日】令和1年6月21日(2019.6.21)
【手続補正１】
【補正対象書類名】実用新案登録請求の範囲
【補正対象項目名】請求項３
【補正方法】変更
【補正の内容】
【請求項３】
前記、マスキングテープ（６）は、種々のデザインのものを使用することを特徴とする請求項２に記載のうちわ。
(57)【要約】      （修正有）【課題】ペットボトルのキャップを容易に開閉できるペットボトルのキャップオープナを提供する。【解決手段】ペットボトルのキャップを開閉するためのキャップオープナ１０は、断面が略コの字形状に形成され一方側から他方側に延びる台座１と、台座１の内部に配置され、一方側から他方側に延び、台座１の一方側に設けられた握り台支柱５を回転軸として、台座１に回動可能に接続された、握り台２とを備え、握り台２は、延びる方向と直交する方向の巾が、台座１の延びる方向と直交する方向の巾より小さく形成され、収容時には、握り台２が台座１の内部に収容されており、使用時には握り台２を他方側から回動させ、握り台支柱５を支点として、握り台２及び台座１の間にキャップを狭み握り台２及び台座１の他方側を互いに近接する方向に、力を加えることが可能である。【選択図】図１
0003222623.tif 000002
【実用新案登録請求の範囲】
【請求項１】
ペットボトルのキャップを開けるためのキャップオープナであって、断面が略コの字形状に形成され一方側から他方側に延びる台座と、台座の内部に配置され、一方側から他方側に延び、台座の一方側に設けられた握り台支柱を回転軸として台座に回動可能に接続された  握り台とを備え、握り台は延びる方向と直交する方向の巾が、台座の延びる方向と直交する方向の巾より小いさく形成され、収容時には握り台が台座の内部に収容されており、使用時には握り台を他方側から回動させ、握り台支柱を支点として、握り台及び台座の間にキャップを狭み握り台及び台座の他方側を互いに近接する方向に力を加えることが可能なキャップオープナ。
【請求項２】
握り台には、収容時において延びる方向と直交する方向に延びる溝が形成され、溝には握り台支柱が遊貫して配置されている請求項１に記載のキャップオープナ。
【考案の詳細な説明】
【技術分野】
【０００１】  本考案は、ペットボトルのキャップオープナに関するものである。
【背景技術】
【０００２】  この種のキャップオープナは、多た公知であるが、使用の際にある程度の握力が必要であったり、収容時に嵩張る。
【考案の概要】
【考案が解決しようとする課題】
【０００３】  本考案は、握力の弱い方でも容易にペットボトルのキャップを開閉することができ、然もコンパクトに収容することができるキャップオープナを提供する。
【課題を解決するための手段】
【０００４】  本考案の、ペットボトルのキャップを開けるためのキャップオープナであって、断面が、略コの字形状に形成され一方側から他方側に延びる台座と、台座の内部に配置され、一方側から他方側に延び、台座の一方側に設けられた、握り台支柱を回転軸として、台座に回動可能に接続された握り台とを備え、握り台は、延びる方向と直交する方向の巾が、台座の延びる方向と直交する方向の巾より小いさく形成され、収容時には、握り台が、台座の内部に収容されており、使用時には、握り台を他方側から回動させ、握り台支柱を支点として、握り台及び、台座の間にキャップを狭み握り台及び、台座の他方側を互いに近接する方向に力を加えることが可能なキャップオープナ。【０００５】  握り台には、収容時に於いて延びる方向と直交する方向に延びる溝が形成され、溝には握り台支柱が遊貫して配置されている、請求項１に記載の、キャップオープナ。
【考案の効果】
【０００６】  上述の様に、本考案のペットボトルのキャップオープナは、握力の弱い方でも容易にペットボトルのキャッ゜を開閉することができ、然もキャップオープナをコンパクトに収納することができる。
【図面の簡単な説明】
【０００７】
【図１】  本考案のペットボトルのキャップオープナの使用時の正面図である。
【図２】  本考案のペットボトルのキャップオープナの収容時の正面図である。
【考案の実施するための形態】
【０００８】  ペットボトルのキャップを開けるためのキャップオープナ１０は、断面が略コの字形状に形成され一方側から他方側に延びる台座１と台座１の内部に配置され一方側から他方側に延び、台座１の一方側に設けられた握り台支柱５を回転軸として、台座１に回動可能に接続された握り台２とを備え、握り台２は延びる方向と直交する方向の巾が台座１の延びる方向と直交する方向の巾より小いさく形成され、収容時には握り台２が台座の内部に収容されており、使用時には握り台２を他方側から回動させ、握り台支柱５を支点として、握り台２及び台座１の間にキャップを狭み、握り台２及び台座１の他方側を互いに近接する方向に力を加えることが可能である。
【０００９】  握り台２には収容時に於いて延びる方向と直交する方向に延びる開閉溝４が形成され、開閉溝４には、握り台支柱５が遊貫して配置されている又、開閉溝４には、中間部分に、握り台２か延びる方向に延びる調整溝３が連なっている。
【００１０】  台座１の半円キャップ受６の内面には、歯形の滑り止７を構成してもよい。
【符号の説明】
【００１１】  １．台座
２．握り台
３．調整溝
４．開閉溝
５．握り台支柱
６．半円キャップ受
７．滑り止
１０．キャップオープナ
【図１】
0003222623.tif 000003
【図２】
0003222623.tif 000004
(57)【要約】      （修正有）【課題】回転刃を水平に保ちながらの草刈り作業を可能とする草刈機の回転刃取付装置を提供する。【解決手段】従来の回転刃駆動部材２に、オフセット部材Ａと、凹部Ｚに回転刃部材３を締付ける回転刃締付けボルト４の頭部を内臓できるオフセット部材Ｂを追加し、オフセット部材Ａとオフセット部材Ｂとの中間に回転刃部材を挟んで、回転刃部材を取付ける。ボルトの頭部が回転刃部材の下面から突出しないため、回転刃部材を水平に保ちながら行う平面な芝刈りや草刈り作業が可能になる。【選択図】図２
0003222626.tif 000002
【実用新案登録請求の範囲】
【請求項１】
草刈機の回転刃取付けに於いて、従来の回転刃駆動部材２に、オフセット部材Ａと、凹部Ｚに回転刃部材３を締付ける回転刃締付けボルト４の頭部を内臓できるオフセット部材Ｂを追加し、回転刃部材３をオフセット部材Ａとオフセット部材Ｂとの中間に挟んで取付ける事を特徴とする回転刃取付装置
【考案の詳細な説明】
【技術分野】
【０００１】  本考案は、草の刈り込み、芝刈り等に使用される草刈機の回転刃取付けに関するものである。
【背景技術】
【０００２】  従来の草刈機は回転刃締付けボルト４の頭部が回転刃の下面に飛び出している構造である。
【考案の概要】
【考案が解決しようとする課題】
【０００３】  草の刈込み、芝刈りを行う場合、回転刃の下面より回転刃締付けボルトの頭部が出ていると、特に、芝の平面刈りに支障が起きます。
【課題を解決するための手段】
【０００４】  本考案は、従来の回転刃駆動部材２に、オフセット部材Ａと、凹部Ｚに回転刃部材３を締付ける回転刃締付けボルト４の頭部を内臓できるオフセット部材Ｂを追加し、オフセット部材Ａとオフセット部材Ｂとの中間に回転刃部材３を挟んで取付ける構造にする。故に、回転刃締付けボルト４の頭部は回転刃部材３の下面よりでない構造となり、回転刃部材３を水平に保ちながら行う平面刈りには最適になる特長が得られる。
【考案の効果】
【０００５】  上述の様に、本考案は、草刈機の回転刃締付けボルト４の頭部を回転刃の下面より出ない様に構成したので、芝の平面刈りは綺麗に仕上げる事が出来る効果がある。
【図面の簡単な説明】
【０００６】
【図１】  従来の草刈機の外観図（エンジン部は図示せず）
【図２】  本考案を実施した草刈機の側面図（エンジン部は図示せず）
【考案を実施するための形態】
【０００７】  従来の回転刃駆動部材２に、オフセット部材Ａと、凹部Ｚに回転刃部材３を締付ける回転刃締付けボルト４の頭部を内臓できるオフセット部材Ｂを追加し、オフセット部材Ａとオフセット部材Ｂとの中間に回転刃部材３を挟んで、回転刃部材３を取付ける。故に、草刈機に取付ける為の回転刃締付けボルト４の頭部は回転刃部材３の下面より出ない様にした構造になる。
【実施例】
【０００８】  以下、添付図面に従って一実施例を説明する。１は草刈機本体、２は従来の回転刃駆動部材で、オフセット部材Ａと、オフセット部材Ｂで、回転刃部材３を挟んで、回転刃部材３を取付ける。回転刃締付けボルト４の頭部はオフセット部材Ｂに設けた凹部Ｚに内臓する様に構成されている。【０００９】  本考案の一実施例は、上述の如き構造で構成されているから、回転刃締付けボルト４の頭部はオフセット部材Ｂに設けてある凹部Ｚに内臓する事ができる。即ち、回転刃部材Ｂの下面より下に飛び出す部材が無い様にした構造なので、回転刃部材３を、水平に保ちながら、芝の平面刈りが最適に出来る様になる。
尚、回転刃部材を締付ける方式が回転刃締付けナット方式の草刈機の場合も、締付けナットをオフセット部材Ｂに設けた凹部Ｚに内臓される。
【符号の説明】
【００１０】１  草刈機本体
２  従来の回転刃駆動部材
３  回転刃部材
４  回転刃締付けボルト
Ａ  オフセット部材Ａ、
Ｂ  オフセット部材Ｂ
Ｚ  オフセット部材Ｂに設けた凹部Ｚ
【図１】
0003222626.tif 000003
【図２】
0003222626.tif 000004
(57)【要約】      （修正有）【課題】特に夜間に地震などで外部から配線用遮断器の一次側への給電が停止され停電となると自動的に非常用の照明機器を点灯させることにより身の安全を確保（避難等）し、家電製品を含む家の状況を把握して二次災害を未然に防止することができる配線用遮断器を提供する。【解決手段】配線用遮断器３００の二次側の下流に非常照明用リレー回路７００を設け、このリレー回路に、一次側への給電が停電され受電が停止した時に受電用のＡ接点７０１を非常用のＢ接点７０２に変更するＣ接点を設け、Ｂ接点に非常用バッテリー７０３を接続し、非常用バッテリーに電燈７０４を接続した。【選択図】図１
0003222629.tif 000002
【実用新案登録請求の範囲】
【請求項１】
配線用遮断器の一次側への給電が停電されたとき二次側において、受電用のＡ接点を非常用のＢ接点に変更するＣ接点を設け、前記Ｃ接点の非常用のＢ接点に非常用バッテリー回路を接続し、この非常用バッテリー回路に電燈を接続した非常照明用リレー回路を設けたことを特徴とする配線用遮断器。
【考案の詳細な説明】
【技術分野】
【０００１】  本考案は、建屋内・外で使用する家庭用電力をコントロールする為の配線用遮断器に関するものである。
【背景技術】
【０００２】  配線用遮断器において、地震などの外部異常発生により発電所からの受電が停止（停電）されたとき、分電盤に組み込まれた配線用遮断器は感震器を設置していない限り遮断作動をしない。【０００３】  而して、特に夜間に地震などで配線用遮断器の一次側への給電が停止され停電となると室内は真っ暗闇になり、照明も点灯できず他所へ避難するにしても非常に危険であり且つ不便であり、ましてや屋外の通路に物が落ちていたりすると人がそれにつまづいて怪我をするなど大変危険である。
仮に避難しなくて済む場合でも配線用遮断器の位置が分からなく配線用遮断器を元に復帰することが甚だ困難である。また地震が長引くと非難の為配線用遮断器は遮断されない状態で放置されることがある。
放置された後の給電再開の際は、家人がいなくても電気機器が作動するため地震による損傷があると火災になる可能性があり甚だ危険である。
【考案の開示】
【考案が解決しようとする課題】
【０００４】  本考案は、特に夜間に地震などで外部から配線用遮断器の一次側への給電が停止され停電となると自動的に非常用の照明機器を点灯させることにより身の安全を確保（避難等）し、家電製品を含む家の状況を把握して二次災害を未然に防止することができる配線用遮断器を提供する。
【課題を解決するための手段】
【０００５】  本考案は、配線用遮断器の一次側への給電が停電されたとき二次側において、受電用のＡ接点を非常用のＢ接点に変更するＣ接点を設け、前記Ｃ接点の非常用のＢ接点に非常用バッテリー回路を接続し、この非常用バッテリー回路に電燈を接続した非常照明用リレー回路を設けたことを特徴とする配線用遮断器。
【考案の効果】
【０００６】  本考案の配線用遮断器は、正常時には、前記配線用遮断器がＯＮ状態にあるので、その二次側の非常照明用リレー回路のＣ接点には電圧が印加されており、その前記Ａ接点はＯＮ状態に保持され一次側からの給電を受電しており、前記Ｂ接点はＯＦＦ状態であるため前記非常用電灯は消灯の状態にある。
配線用遮断器は、二次側に一次側からの給電が停止されると二次側に設けた非常照明用リレー回路の前記Ｃ接点のＡ接点がＯＦＦ状態になり同時にＢ接点がＯＮ状態になる。このＢ接点のＯＮ動作により、Ｂ接点に接続してある非常用バッテリー回路をＯＮ動作させて非常用の照明機器に電気を供給して点灯するものである。
これによりして、停電時の身の安全を確保（避難等）し、停電（暗闇）による家電製品を含む家の状況を把握して二次災害を未然に防止することができるものである。
【図面の簡単な説明】
【０００７】
【図１】本考案の配線用遮断器の実施例１を示す平面回路説明図である。
【考案を実施するための形態】
【０００８】  本考案の実施形態は、図１に示す実施例１により詳細に説明する。
【実施例１】  分電盤１００は、図１に示すように、単相３線の１００Ｖ／２００Ｖものであり商用電源からの電線１０１と接続される入口接続端子１０２と、過電流から回路を保護する主遮断器２００を有する配線用遮断器（：漏電ブレーカ）３００と、前記入口接続端子１０２と前記主遮断器２００とを接続する入口部配線１０３と、主遮断器２００の下流に配線された主配線１０４と、主配線１０４の過電流を検出する変流器４００と、変流器４００により検出された過電流に基づいて主遮断器２００を遮断する過電流継電器５００と、前記主配線１０４から分岐されて各室の室内配線１０５と接続される各室分岐配線１０６と、各室分岐配線１０６に接続した個別遮断器６００とを備えてなる例である。【０００９】而して、前記配線用遮断器３００の二次側において、室内配線１０５側に（主配線１０４でもよい）非常照明用リレー回路７００を設けてある。
非常照明用リレー回路７００は、外部電力が停止されて停電になり一次側から二次側への給電が停止されたときＡ接点７０１をＢ接点７０２に変更するＣ接点を設け、前記Ｃ接点のＢ接点７０２に非常用バッテリー回路７０３を介して非常用電燈７０４を接続してある。【００１０】  この回路構成により、正常受電時には、前記配線用遮断器３００がＯＮ状態にあるので、その二次側の非常照明用リレー回路７００のＣ接点のＡ接点７０１には一次側からの電圧が印加されており、Ａ接点７０１はＯＮ状態に保持され一次側から給電しているが、この時、Ｂ接点７０２はＯＦＦ状態であるため前記非常用電灯７０３は消灯の状態にある。【００１１】  次に配線用遮断器３００は、外部から一次側への給電が停止された時、前記非常照明用リレー回路７００のＣ接点のＡ接点７０１がＯＦＦ状態になり各室分岐配線１０６との接続を遮断すると同時にＢ接点７０２がＯＮ状態になる。このＢ接点７０２のＯＮ動作により、Ｂ接点７０２に接続してある非常用バッテリー回路７０３をＯＮ動作させて非常用の照明機器７０４に電気を供給して点灯するものである。この照明機器７０４の点灯により身の安全を確保（避難等）し、家電製品を含む家の状況を把握して二次災害を未然に阻止することができる。
【産業上の利用可能性】
【００１２】  本考案は、前記ように簡単な回路構成の配線用遮断器により前記した優れた作用効果を呈するため、一般家庭は勿論、小規模工場の配線用遮断器に適用され漏電による二次災害を未然に防止することが出来るので電力業界に貢献すること多大なものがある。
【符号の説明】
【００１３】１００：分電盤
１０１：電線
１０２：入口接続端子
１０３：入口部配線
１０４：主配線
１０５：室内配線
１０６：各室分岐配線
２００：主遮断器
３００：配線用遮断器（：漏電ブレーカ）
４００：変流器
５００：過電流継電器
６００：個別遮断器
７００：非常照明用リレー回路
７０１：Ａ接点
７０２：Ｂ接点
７０３：バッテリー
７０４：非常用電燈
【図１】
0003222629.tif 000003